(57)【要約】【課題】隠蔽用黒シール付情報担持シートにおいて、該隠蔽用黒シールは遮光性に富み、かつ再剥離や再貼付が不可能で、輸送中等における剥がれ事故がなく、機密情報の確認に剥がす手間と廃棄物とならない隠蔽用黒シール付情報担持シートとその使用方法の提供にある。【解決手段】基材１０の表面に機密情報データ１２が筆記され、該機密情報データ１２を隠蔽用黒シール１４で接着されている隠蔽用黒シール付情報担持シート１において、前記機密情報データ１２の筆記は、赤外線吸収物質を筆記物質とする筆記具で成され、前記隠蔽用黒シール１４は、プラスチックフィルムに赤外線吸収物質を含まない黒色系塗工膜が施されている隠蔽用黒シール付情報担持シート１とするものである。【選択図】図１
2004255628.tif 000002
【特許請求の範囲】
【請求項１】
表面が赤外線を吸収しない基材上に機密情報データが印字または筆記されていて、該機密情報データを隠蔽する隠蔽用黒シールが接着されている隠蔽用黒シール付情報担持シートにおいて、前記機密情報データの印字または筆記は、赤外線吸収物質を含む組成物を印字または筆記物質とする印字または筆記具で成され、前記隠蔽用黒シールは、プラスチックフィルムに赤外線吸収物質を含まない黒色系塗工膜が施されていることを特徴とする隠蔽用黒シール付情報担持シート。
【請求項２】
上記印字または筆記具は、鉛筆であることを特徴とする請求項１記載の隠蔽用黒シール付情報担持シート。
【請求項３】
上記黒色系塗工膜は、黒色系の印刷インキで形成されていることを特徴とする請求項１または２記載の隠蔽用黒シール付情報担持シート。
【請求項４】
表面が赤外線を吸収しない基材上に赤外線吸収物質を含む組成物を印字または筆記物質とする印字または筆記具で印字または筆記した機密情報データを、プラスチックフィルムに赤外線吸収物質を含まない黒色系塗工膜が施されている黒シールの接着によって隠蔽されている隠蔽用黒シール付情報担持シートの使用方法において、上記隠蔽用黒シール付情報担持シート上から赤外線による機械読み取りで前記機密情報データを判読することを特徴とする隠蔽用黒シール付情報担持シートの使用方法。
【発明の詳細な説明】
【０００１】
【発明の属する技術分野】
本発明は、個人情報を含む機密情報データを印字または筆記した印刷物あるいは郵便物等情報担持シートに関するものであり、さらに詳しくは、その機密情報データを隠蔽するためのシールがシールされている隠蔽用黒シール付情報担持シートおよびその使用方法に関する。
【０００２】
【従来の技術】
従来、例えば、クレジットカード等のプレゼント応募や住所変更届けなどに住所等個人情報を含む機密情報データを記載し、返送するシステムが多く採用されている。
【０００３】
しかし、昨今において、個人情報そのものの漏洩も問題となっていて、上記のような返送システムに種々の情報漏洩防止策が取られている。その一例として、隠蔽用シール付ハガキがある。具体的には、例えば郵送されてきた往復ハガキの往欄に剥離可能なシールが貼付されていて、復欄には個人情報等データの記載欄があり、その受取人（顧客）が復欄の個人情報記載欄に個人情報等データを記載後、この個人情報等データを往欄から剥離したシールでシールして隠蔽し、発送元に郵送（返送）するもので、この返送された発送元ではこの復ハガキの復欄からシールを剥離して復欄の個人情報記載欄に記載された必要内容（個人情報等データ）を確認するシステムがある。
【０００４】
しかしながら、上記隠蔽用シール付ハガキのシールは、坪量１５０ｇ／ｍ２  程度のアート紙や上質紙の裏面に接着剤が施され、表面には説明文などオフセット印刷等による印刷層が施されているのが一般的であり、これに暗色のベタ印刷を大きく施し個人情報データ等記載内容が透過で視認されないようにしている。しかしこの程度では、遮光性が乏しく、強光下では、視認される危惧のあるものであった。
また、再貼付（再シール）性と再剥離性を付与する必要があるため、裏面の接着層にはシリコン等を混入し接着性と剥離性のバランスを取ったものとしているので、シールの接着力が低く、輸送中にシールが剥がれて個人情報等内容が露出するという事故が発生したりする（不安定要素がある）という問題があった。
さらにまた、発送元では、シールを剥がして必要内容を確認するシステムなので、そのシールを剥がす手間と、剥がされたシールが廃棄物となるといった作業性や環境問題に対する配慮に欠けるという問題があった。
【０００５】
【発明が解決しようとする課題】
本発明は、かかる従来技術の問題点を解決するものであり、その課題とするところは、基材上に機密情報データが印字または筆記されていて、該機密情報データを隠蔽する隠蔽用黒シールがシールされている隠蔽用黒シール付情報担持シートにおいて、シールの遮光性に富み、かつ第３者によるシールの再剥離や再貼付（再シール）が不可能で、輸送中等におけるシールの剥がれ等不慮の事故の危惧がなく、さらに機密情報の確認にシールを剥がす手間と剥がされたシールが廃棄物となるという作業性と環境問題に対する配慮に欠けるという問題のない隠蔽用黒シール付情報担持シートとその使用方法を提供することにある。
【０００６】
【課題を解決するための手段】
本発明に於いて上記課題を達成するために、まず請求項１の発明では、表面が赤外線を吸収しない基材の表面に機密情報データが印字または筆記されていて、該機密情報データを隠蔽する隠蔽用黒シールが接着されている隠蔽用黒シール付情報担持シートにおいて、前記機密情報データの印字または筆記は、赤外線吸収物質を含まない組成物を印字または筆記物質とする印字または筆記具で成され、前記隠蔽用黒シールは、プラスチックフィルムに赤外線吸収物質を含まない黒色系塗工膜が施されていることを特徴とする隠蔽用黒シール付情報担持シートとしたものである。
【０００７】
上記請求項１の発明によれば、表面が赤外線を吸収しない基材の表面に赤外線吸収物質を含まない組成物を印字または筆記物質とする印字または筆記具で機密情報データが施され、その上を赤外線吸収物質を含まない黒色系塗工膜を有する隠蔽用黒シールで覆われるように接着されているので、遮光性に富み、第３者による黒シールの再剥離や再貼付が困難で、かつ輸送中等でも剥がれる事故もないため、強光下でも、隠蔽用黒シールの再剥離でも、あるいは輸送中等における不慮の事故でも機密情報データが漏洩されることがない隠蔽用黒シール付情報担持シートとすることができ、かつ隠蔽用黒シールを剥がさずに、その上から赤外線照射によって機密情報データの機械読取りが可能なので、受取側では隠蔽用黒シールを剥がす手間がなく、隠蔽用黒シールが廃棄物となるという作業性と環境への配慮にかけるという問題のない隠蔽用黒シール付情報担持シートを提供できる。
【０００８】
また、請求項２の発明では、上記印字または筆記具は、鉛筆であることを特徴とする請求項１記載の隠蔽用黒シール付情報担持シートとしたものである。
【０００９】
上記請求項２の発明によれば、印字または筆記具を、鉛筆とすることによって、鉛筆の芯が赤外線吸収物質を含む組成物のため赤外線照射による機械読取りを可能にし、かつ鉛筆は、一般の人が殆ど持ち合わせているもので、個人情報等機密情報データの記入を容易にするためである。因みにボールペンや水性ペンでの筆記では赤外吸収性が極度に低い場合があり、赤外線照射による機械読取りが困難なためである。
【００１０】
また、請求項３の発明では、上記黒色系塗工膜は、黒色系の印刷インキで形成されていることを特徴とする請求項１または２記載の隠蔽用黒シール付情報担持シートとしたものである。
【００１１】
上記請求項３の発明によれば、赤外線吸収物質を含まない黒色系塗工膜を、黒色系の印刷インキとすることによって、塗工が容易であるとともに、この黒色系の印刷インキは、赤外線吸収物質を含まないプロセスインキのうち、黄、紅、藍の混合や赤外線吸収物質を含まない特色インキの混合でも容易に得られるためである。
【００１２】
さらにまた、請求項４の発明では、表面が赤外線を吸収しない基材の表面に赤外線吸収物質を含む組成物を印字または筆記物質とする印字または筆記具で印字または筆記した機密情報データを、プラスチックフィルムに赤外線吸収物質を含まない黒色系塗工膜が施されている黒シールの接着により隠蔽されている隠蔽用黒シール付情報担持シートの使用方法であって、上記隠蔽用黒シール付情報担持シート上から赤外線による機械読み取りで前記機密情報データを判読することを特徴とする隠蔽用黒シール付情報担持シートの使用方法としたものである。
【００１３】
上記請求項４の発明によれば、上記で得られた隠蔽用黒シール付情報担持シートの隠蔽用黒シールを剥がさずに、その隠蔽用黒シールの上から赤外線を照射すると、その赤外線は赤外線吸収物質を含まない隠蔽用黒シールを透過し、赤外線吸収物質を含む組成物を印字または筆記物質とする印字または筆記具で印字または筆記した機密情報データに吸収され、上記機密情報データは、可視領域の光をカットしたセンサーにより、基材の表面を白色下地としたポジパターンとして判読されるようにする隠蔽用黒シール付情報担持シートの使用方法とすることができる。
【００１４】
【発明の実施の形態】
以下本発明の実施の形態を図面により詳細に説明する。
本発明は、図１の側断面図に示すように、個人情報等を含む機密情報データ（１２）が印字または筆記されている隠蔽用黒シール付情報担持シート（１）で、その機密情報データ（１２）を隠蔽するための隠蔽用黒シール（１４）が機密情報データ（１２）を覆うように接着されている隠蔽用黒シール付情報担持シート（１）とその使用方法に関するものである。
【００１５】
そこで上記請求項１に係る発明は、図１に示すように、例えば表面（１０ａ）が赤外線を吸収しない白色の紙を基材（１０）とし、その上に個人情報等の機密情報データ（１２）が筆記されていて、この機密情報データ（１２）を隠蔽するための遮光性に富む隠蔽用黒シール（１４）が機密情報データ（１２）を覆うように接着されている隠蔽用黒シール付情報担持シート（１）であって、この機密情報データ（１２）の筆記（記入）は赤外線吸収物質を含む組成物を筆記物質とする筆記具で形成されていて、前記隠蔽用黒シール（１４）は、例えば図２（ａ）の側断面図に示すように、プラスチックフィルム（２０）の片面に赤外線吸収物質を含まない黒色系塗工膜（２２）が施され、他の面に接着層（２４）が施されているもので、この接着層（２４）面を下にして機密情報データ（１２）を覆うように接着されている隠蔽用黒シール付情報担持シート（１）とするものである。
【００１６】
また、上記隠蔽用黒シール（１４）は、図２（ｂ）に示すように、赤外線吸収物質を含まない黒色系塗工膜（２２）上に接着層（２４）を施したものとし、プラスチックフィルム（２０）を黒色系塗工膜（２２）の保護層とすることもできる。
【００１７】
上記のような隠蔽用黒シール付情報担持シート（１）は、接着層（２４）で接着されている隠蔽用黒シール（１４）により遮光性に富み、第３者による再剥離や再貼付（再シール）を困難にし、かつ輸送中等でも剥がれる危惧もなく、よって機密情報データ（１２）が漏洩されることがないものとすることができ、さらにこの隠蔽用黒シール（１４）を剥がさずに、その上から赤外線照射によって機密情報データ（１２）の機械読取りが可能になるので、発送側では従来のように隠蔽用黒シール（１２）を剥がす手間がなく、隠蔽用黒シールが廃棄物となるという作業性と環境への配慮に欠けるという問題のない隠蔽用黒シール付情報担持シート（１）とすることができる。
【００１８】
また、上記印字または筆記具として、赤外線吸収物質、例えば五二酸化リンを主成分とする酸化鉄あるいは酸化銅あるいは両者を含むリン酸結晶粉末、五二酸化リンを主成分とし鉄イオンまたは銅イオンを含むガラス系粉末、金属錯体の赤外線吸収材あるいはカーボンブラック等を多く含むインキ等を用いるものであれば、特に限定するものではないが、上記請求項２に係る発明では、図１に示すような機密情報データ（１２）の筆記に使用する筆記具を、鉛筆とするものである。
【００１９】
上記鉛筆の芯は、赤外線吸収物質である黒鉛と粘土からなるので、赤外線照射による機械読取りを可能にし、また鉛筆は一般的に普及している筆記具で、個人情報等機密情報データ（１２）の記入をより容易にするものとして好適に使用することができる。
因みに他の一般的に普及している筆記具としてのボールペンや水性ペンによる筆記では、赤外吸収性が極度に低く赤外線照射による機械読取りが困難なものとなり、本発明の隠蔽用黒シール付情報担持シート（１）用の筆記具としては好ましくない。
【００２０】
また、図２に示すプラスチックフィルム（２０）に施されている黒色系塗工膜（２２）としては、赤外線吸収物質を含まない黒色系の塗工液からなるものであれば、特に限定するものでないが、上記請求項３に係る発明では、図２に示すような黒色系塗工膜（２２）を、黒色系の印刷インキで形成されているものとしたものである。
【００２１】
上記黒色系の印刷インキは、塗工を容易にするとともに、赤外線吸収物質を含まないプロセスインキ（黄、紅、藍、混墨）の混合やカーボンブラックを含まない特色顔料でなるインキの混合でも容易に得られるもので、オフセット用、グラビア用、フレキソ用あるいはスクリーン用の印刷インキで黒色系塗工膜（２２）とすることができる。
【００２２】
さらにまた、上記請求項４に係る発明は、上記で得られた隠蔽用黒シール付情報担持シート（１）の使用方法であって、例えば図１に示すように、表面が赤外線を吸収しない基材（１０）の表面に赤外線吸収物質を筆記物質とする筆記具で筆記した機密情報データ（１２）を、プラスチックフィルムに赤外線吸収物質を含まない黒色系塗工膜が施されている隠蔽用黒シール（１４）の接着により隠蔽されている隠蔽用黒シール付情報担持シート（１）の隠蔽用黒シール（１４）上から赤外線による機械読み取りで機密情報データ（１４）を判読する使用方法としたものである。
【００２３】
上記使用方法をさらに具体的に説明すると、例えば図３の斜視図に示すように、紙でなる往復ハガキを基材（１０）とし、その往側（Ａ）には、剥離ニス層（１６）が施され、その上に粘着剤なる接着層（図示せず）を下にして隠蔽用黒シール（１４）が貼付されている。一方復側（Ｂ）には、個人情報記入欄（Ｃ）が設けられている郵送用の隠蔽用黒シール付郵便物（２）があり、この隠蔽用黒シール付郵便物（２）の使用方法として、例えば、この往復ハガキの発送元では、図３に示すような状態で郵送用の隠蔽用黒シール付郵便物（２）を顧客に郵送する。
【００２４】
上記郵送用の隠蔽用黒シール付郵便物（２）を受け取った顧客は、図４に示すように、往復ハガキの復側欄（Ｂ）の個人情報記載欄（Ｃ）に個人情報等機密情報データ（１２）を鉛筆で記載し、図３に示す往側欄（Ａ）の剥離ニス層（１６）から隠蔽用黒シール（１４）を剥離し、これを、図４に示すように、個人情報記載欄（Ｃ）の機密情報データ（１２）を覆うように接着せしめて隠蔽し、発送元へ返送（郵送）する。
【００２５】
上記顧客から返送された復側欄（Ｃ）でなる隠蔽用黒シール付郵便物（２）を、受け取った発送元では、図５に示すように、隠蔽用黒シール（１４）を剥離せずに（剥離できないように接着されている）、赤外モニター（３０）で機密情報データ（１２）の内容を確認するシステムである。
【００２６】
上記赤外モニター（３０）としては、図５に示すように、赤外線の発光装置（３２）とその反射光を捉えるセンサー（３４）からなるもので、例えば赤外線の発光装置（３２）として波長７５０ｎｍ、７８０ｎｍ、８１０ｎｍ、８３０ｎｍ、９０５ｎｍ、９４０ｎｍ等のレーザー光を発光する半導体レーザーがあり、その反射光を捉えるセンサー（３４）としては可視領域の光をカットした（赤外線透過フィルターによる）リニアセンサー等があり、上記機密情報データ（１２）の確認は、例えば図５に示すように、隠蔽用黒シール付郵便物（２）の隠蔽用黒シール（１４）の上から赤外線の発光装置（３２）としての半導体レーザーによる波長９４０ｎｍのレーザ光（３２ａ）を照射すると、その波長９４０ｎｍのレーザ光（３２ａ）は赤外線吸収物質を含まない隠蔽用黒シール（１４）を透過し、赤外線吸収物質を筆記物質（芯）とする鉛筆で記載された機密情報データ（１２）に吸収され、これら機密情報データ（１２）は、センサー（３４）としての可視領域の光をカットしたリニアセンサーにより、表面が赤外線を吸収しない紙の基材（１０）の表面を白色下地としたポジパターンとして上記赤外モニター（３０）上で判読されるようにしたものである。
【００２７】
上記本発明の隠蔽用黒シール付情報担持シート（１）を構成する隠蔽用黒シール（１４）としては、図２に示すように、例えばプラスチックフィルム（２０）の片面に黒色系塗工膜（２２）と、もう一方の面には接着層（２４）が施されているもので、そのプラスチックフィルム（２０）としては、厚さ１０〜１００μｍ程度のポリエチレンテレフタレートフィルム（ＰＥＴ）、延伸ポリエチレンフィルム（ＯＰＥ）、二軸延伸ポリプロピレンフィルム（ＯＰＰ）、延伸ナイロンフィルム（ＯＮｙ）等が挙げられ、比較的可撓性のあり、かつ塗布適性のあるフィルムが好適に用いられる。
【００２８】
また、上記黒色系塗工膜（２２）としては、例えば赤外線を透過する性質を備えたオフセット印刷用のプロセスインキの内の黄、藍、紅の混合としてもよく、あるいは赤外線吸収物質を含まない特色顔料でなるインキの混合でもよい。オフセットインキの内でも、例えば樹脂としてロジン変性フェノール樹脂やアルキッド樹脂と、大豆油やアマニ油でなる植物油と、それに鉱物油等を溶剤としたビヒクルに、ドライヤーや酸化抑制剤等添加剤を添加したものに、赤外線を透過する色剤（ジアゾイエロー、カーミン６Ｂ、フタロシアニン銅等の顔料）を２５％程度分散されている油性枚葉プロセスインキか、あるいはポリオール、ポリエステル等光重合性素材と、ケトン樹脂、アルキッド樹脂等改質用樹脂でなるビヒクルに、ベンゾフェノン等光重合開始剤、ハイドロキノン等熱重合禁止剤等でなる添加剤を添加したものに、赤外線を透過する色剤（３色の顔料）を２５％程度分散されている紫外線硬化型のプロセスインキが塗工を容易にするとともに、これらプロセスインキの混合で黒色系塗工膜（２２）が容易に得られる。
【００２９】
上記オフセット用のプロセスインキに限らず、グラビア用、フレキソ用あるいはスクリーン用のプロセスインキを用いて黒色系塗工膜（２２）とすることもでき、上記オフセット用と同様の効果を得ることができる。
【００３０】
上記黒色系塗工膜（２２）は、厚さ２〜２０μｍ程度で、その画像コントラスト濃度としてＰＣＳ（Ｐｒｉｎｔ  Ｃｏｎｔｒａｓｔ  Ｓｉｇｎａｌ）値が０．８以上であれば、強光下でも機密情報データ（１２）が透かして見えることがないので好ましい。
【００３１】
また、上記隠蔽用黒シール（１４）を構成する接着層（２４）としては、ポリウレタン系粘着剤で形成されているものが好ましく、このウレタン樹脂粘着剤として、ポリオールとポリイソシアネートとをヘキサヒドロジメチルアニリン等の触媒の存在下に反応させてなるウレタンプレポリマーと、劣化防止剤とで構成されていて、このポリオールとしては、ポリエステルポリオール、ポリエーテルポリオール等が用いられ、そのポリエステルポリオールとしては、例えばポリアジペートポリオール、ポリカプロラクトジオール、ポリカーボネートポリオール等公知のポリエステルポリオールが挙げられる。
【００３２】
また、上記ウレタン樹脂粘着剤を構成する劣化防止剤としては、酸化防止剤、あるいは酸化防止剤と紫外線吸収剤または光安定剤等が挙げられ、その酸化防止剤としては、フェノール系酸化防止剤、アミン系酸化防止剤、硫黄系酸化防止剤、リン系酸化防止剤等が挙げられ、いずれもが上記のウレタンプレポリマーと相溶性のあるものが使用される。
【００３３】
以上のような粘着剤によるて得られる接着層（２４）の形成は、例えばグラビア印刷法、ロールコート法、リップコート法などで塗布、乾燥され、塗布量１０ｇ／ｍ２  （ドライ）程度とするもので、このような接着層（２４）とすることによって、顧客などが容易に機密情報データ（１２）上に貼付することができ、かつこの接着層（２４）を通常の紙の表面に押圧すると紙ムケする程度に接着しているので、再剥離は困難で、かつ輸送（郵送）中等でも剥がれるという問題のないものとすることができる。
【００３４】
また、図３に示す郵送用の隠蔽用黒シール付郵便物（２）の往側欄（Ａ）に設ける剥離ニス層（１６）としては、例えばポリウレタンアクリル樹脂、ポリアミド樹脂、ニトロセルロース樹脂に添加剤としてシリコンやワックス（ポリエチレンワックス等）を５％以下添加したグラビア用剥離ニス、あるいはスクリーン用剥離ニスをグラビア印刷方式あるいはスクリーン印刷方式で得ることができる。さらにまた、例えば、油性枚葉オフセットインキや紫外線硬化型オフセットインキのビヒクル（印刷インキの色材（顔料）を除いた成分）にシリコンやワックスなどを僅かに添加したオフセット用剥離ニスを用いて、オフセット印刷法にて部分塗布で得ることもできる。このような組成でなる剥離ニス層（１６）に、上記隠蔽用黒シール（１４）の粘着剤でなる接着層（２４）を押圧して接着されたものは、郵送中は剥がれないが、剥離しようとする際は比較的容易に剥離されるようにしたものである。
【００３５】
【発明の効果】
本発明は以上の構成であるから、下記に示す如き効果がある。
即ち、上記請求項１に係る発明において、表面が赤外線を吸収しない基材の表面に赤外線吸収物質を含む組成物を印字または筆記物質とする印字または筆記具で機密情報データが施され、その上を赤外線吸収物質を含まない黒色系塗工膜を有する隠蔽用黒シールで覆われるように接着されているので、遮光性に富み、第３者による黒シールの再剥離や再貼付が困難で、かつ輸送中等でも剥がれる事故もないため、強光下でも、隠蔽用黒シールの再剥離でも、あるいは輸送中等における不慮の事故でも機密情報データが漏洩されることがない隠蔽用黒シール付情報担持シートとすることができ、かつ隠蔽用黒シールを剥がさずに、その上から赤外線照射によって機密情報データの機械読取りが可能なので、発送元側では隠蔽用黒シールを剥がす手間がなく、隠蔽用黒シールが廃棄物となるという作業性と環境への配慮にかけるという問題のない隠蔽用黒シール付情報担持シートを提供できる効果がある。
【００３６】
また、上記請求項２に係る発明においては、印字または筆記具を、鉛筆とすることによって、鉛筆の芯が赤外線吸収物質のため赤外線照射による機械読取りを可能にし、かつ鉛筆は、一般の人が殆ど持ち合わせているもので、個人情報等機密情報データの記入を容易にするという効果がある。因みにボールペンや水性ペンでの筆記では赤外吸収性が極度に低く赤外線照射による機械読取りが困難であるので好ましくない。
【００３７】
また、上記請求項３に係る発明においては、赤外線吸収物質を含まない黒色系塗工膜を、黒色系の印刷インキとすることによって、塗工を容易にするとともに、この黒色系の印刷インキは、赤外線吸収物質を含まないプロセスインキのうち黄、紅、藍の混合や赤外線吸収物質を含まない特色インキの混合でも容易に得ることができるという効果がある。
【００３８】
さらにまた、上記請求項４に係る発明においては、上記隠蔽用黒シール付情報担持シート上から赤外線による機械読み取りで前記機密情報データを判読するようにした隠蔽用黒シール付情報担持シートの使用方法とするもので、上記隠蔽用黒シールを剥がさずに、その隠蔽用黒シールの上から赤外線を照射すると、その赤外線は赤外線吸収物質を含まない隠蔽用黒シールを透過し、赤外線吸収物質を含む組成物を印字または筆記物質とする印字または筆記具で印字または筆記した機密情報データに吸収され、上記機密情報データは、可視領域の光をカットしたセンサーにより、基材の表面を白色下地としたポジパターンとして判読されるようにする隠蔽用黒シール付情報担持シートの使用方法とすることができる効果がある。
【００３９】
従って本発明は、個人情報を含む機密情報データを印字または筆記した印刷物あるいは郵便物等情報担持シートで、その機密情報データを隠蔽するための隠蔽用黒シールがシールされている隠蔽用黒シール付情報担持シートおよびその使用方法（用途）において、優れた実用上の効果を発揮する。
【図面の簡単な説明】
【図１】本発明の隠蔽用黒シール付情報担持シートの一実施の形態を示すもので、その側断面を表した説明図である。
【図２】本発明の隠蔽用黒シール付情報担持シートを構成する隠蔽用黒シールを側断面で表した説明図であり、（ａ）は、その一事例であり、（ｂ）は、他の一事例である。
【図３】本発明の隠蔽用黒シール付情報担持シートの一実施の形態を説明するもので、その一事例としての隠蔽用黒シール付郵便物を示す斜視図である。
【図４】本発明の隠蔽用黒シール付情報担持シートの使用方法の一実施の形態を説明するもので、その一事例としての隠蔽用黒シール付郵便物の使用方法を説明する斜視図である。
【図５】本発明の隠蔽用黒シール付情報担持シートの使用方法の一事例を説明する側面概略図である。
【符号の説明】
１‥‥隠蔽用黒シール付情報担持シート
２‥‥隠蔽用黒シール付郵便物
１０‥‥基材
１０ａ‥‥基材の表面
１２‥‥機密情報データ
１４‥‥隠蔽用黒シール
１６‥‥剥離ニス層
２０‥‥プラスチックフィルム
２２‥‥黒色系塗工膜
２４‥‥接着層
３０‥‥赤外モニター
３２‥‥赤外線の発光装置
３２ａ‥‥レーザー光
３４‥‥センサー
Ａ‥‥往復ハガキの往側欄
Ｂ‥‥往復ハガキの復側欄
Ｃ‥‥個人情報記載欄
【図１】
2004255628.tif 000003
【図２】
2004255628.tif 000004
【図３】
2004255628.tif 000005
【図４】
2004255628.tif 000006
【図５】
2004255628.tif 000007